(57)【要約】【課題】マルチモニタを構成する複数の表示装置のうちの２以上の表示装置の組み合わせである表示レイアウトを簡単かつ容易に指定することを目的とする。【解決手段】マルチモニタシステム１が、複数の表示装置（モニタ）Ｍ１、Ｍ２、Ｍ３、...、Ｍ１２から構成されるマルチモニタ２と、マルチモニタ２に映像を提供する映像ソース３と、マルチモニタ２の表示を制御するマルチモニタ表示制御装置４と、ユーザが操作するユーザ端末装置５とを備えた構成とする。本開示に係るマルチモニタ表示制御システムは、表示制御装置４とユーザ端末装置５とから構成される。ユーザ端末装置５は、本開示に係るマルチモニタ表示制御システムの表示入力部に相当する。【選択図】図１
2018133641.tif 000002
【特許請求の範囲】
【請求項１】
表示装置を複数配列して構成されるマルチモニタの表示を制御するマルチモニタ表示制御システムであって、
少なくとも１つのプロセッサと、タッチパネル式の表示入力部と、前記マルチモニタに映像を提供する映像ソースとの間で通信を行う通信部とを備え、
前記プロセッサは、
前記表示入力部に、前記複数の表示装置にそれぞれ対応付けられ、ユーザのタッチ操作により選択可能であり、かつ前記複数の表示装置の配列と同じ配列で配置された複数のレイアウト指定キーを含む表示レイアウト指定画面を表示し、
ユーザのタッチ操作により選択された前記レイアウト指定キーに対応する表示装置の組み合わせを表示レイアウトとして指定し、
前記表示レイアウトを１つの画面として見なして、前記表示レイアウトに前記映像ソースから提供された映像を表示することを特徴とするマルチモニタ表示制御システム。
【請求項２】
少なくとも前記表示入力部が、タブレット型のユーザ端末装置として構成されていることを特徴とする請求項１に記載のマルチモニタ表示制御システム。
【請求項３】
前記表示レイアウト指定画面は、ユーザが前記複数のレイアウト指定キーのうちの１つのレイアウト指定キーをタップし、そのまま他のレイアウト指定キーまでドラッグすると、そのドラッグ経路に含まれるレイアウト指定キーが全て選択されるように構成されていることを特徴とする請求項１または２に記載のマルチモニタ表示制御システム。
【請求項４】
前記映像ソースが複数存在し、
前記プロセッサは、
前記表示入力部に、前記複数の映像ソースにそれぞれ対応付けられ、ユーザのタッチ操作により選択可能な複数の映像ソース指定キーを含む映像ソース指定画面を表示し、
ユーザのタッチ操作により選択された前記映像ソース指定キーに対応する前記映像ソースを前記マルチモニタに映像を提供する映像ソースとして指定することを特徴とする請求項１ないし３のいずれかに記載のマルチモニタ表示制御システム。
【請求項５】
前記プロセッサは、
前記表示入力部に、前記映像ソース指定画面で指定された映像ソースから提供される映像を前記表示レイアウト指定画面で指定された表示レイアウトで表示する切出範囲指定画面を表示し、
前記切出範囲指定画面に表示された映像を、前記映像ソースから提供される映像から切り出して前記表示レイアウトに表示する範囲である切出範囲として指定することを特徴とする請求項１ないし４のいずれかに記載のマルチモニタ表示制御システム。
【請求項６】
前記切出範囲指定画面は、ユーザのタッチ操作によりサイズを変更可能に構成されており、
前記プロセッサは、
ユーザのタッチ操作により前記切出範囲指定画面のサイズが変更された場合は、その変更されたサイズの前記切出範囲指定画面に表示された映像を前記切出範囲として指定することを特徴とする請求項５に記載のマルチモニタ表示制御システム。
【請求項７】
前記切出範囲指定画面は、ユーザのタッチ操作によりサイズを変更可能な切出範囲指定キーを複数配列して構成されており、
前記プロセッサは、
ユーザのタッチ操作により前記切出範囲指定キーのサイズが変更された場合は、その変更されたサイズの前記切出範囲指定キーに表示された映像を前記切出範囲として指定することを特徴とする請求項５または６に記載のマルチモニタ表示制御システム。
【請求項８】
前記切出範囲指定キーは、ユーザのタッチ操作により移動可能に構成されており、
前記プロセッサは、
ユーザのタッチ操作により前記切出範囲指定キーが移動させられた場合は、その移動後の前記切出範囲指定画面に表示された映像を前記切出範囲として指定することを特徴とする請求項７に記載のマルチモニタ表示制御システム。
【請求項９】
前記プロセッサは、
前記表示入力部に、予め定められた特殊な形状の表示枠に対応付けられ、ユーザのタッチ操作により選択可能な表示枠指定キーを含む表示枠指定画面を表示し、
ユーザのタッチ操作により選択された前記表示枠指定キーに対応する前記表示枠を、前記切出範囲指定画面に表示することを特徴とする請求項５ないし８のいずれかに記載のマルチモニタ表示制御システム。
【請求項１０】
前記映像ソースが前記通信部を介して遠隔操作可能なカメラであり、
前記プロセッサは、
前記表示入力部に、ユーザのタッチ操作により前記カメラのパン、チルト、またはズームの各動作の少なくとも１つを遠隔操作可能なカメラ操作キーを表示することを特徴とする請求項1ないし９のいずれかに記載のマルチモニタ表示制御システム。
【請求項１１】
上記の請求項１ないし１０のいずれかに記載のマルチモニタ表示制御システムと、
表示装置を複数配列して構成されるマルチモニタと、
前記マルチモニタに映像を提供する映像ソースとを備えたマルチモニタシステム。
【請求項１２】
表示装置を複数配列して構成されるマルチモニタの表示を制御するマルチモニタ表示制御方法であって、
タッチパネル式の表示入力部に、前記複数の表示装置にそれぞれ対応付けられ、ユーザのタッチ操作により選択可能であり、かつ前記複数の表示装置の配列と同じ配列で配置された複数のレイアウト指定キーを含む表示レイアウト指定画面を表示するステップと、
ユーザのタッチ操作により選択された前記レイアウト指定キーに対応する表示装置の組み合わせを表示レイアウトとして指定するステップと、
前記表示レイアウトを１つの画面として見なして、前記表示レイアウトに映像ソースから提供された映像を表示するステップと
を有することを特徴とするマルチモニタ表示制御方法。
【発明の詳細な説明】
【技術分野】
【０００１】
本開示は、表示装置を複数配列して構成されるマルチモニタの表示を制御するためのマルチモニタ表示制御システムおよびマルチモニタ表示制御方法に関する。
【背景技術】
【０００２】
従来、大画面内にその全体サイズよりも小さいサイズの表示領域を設定し、その表示領域に映像を表示する技術が存在する。例えば、特許文献１には、パノラマ映像から表示用映像を映像枠で切り出し、該表示用映像をパノラマ映像より小さな表示画面に表示する技術が開示されている。
【先行技術文献】
【特許文献】
【０００３】
【特許文献１】特開２０１５−８４８９号公報
【発明の概要】
【発明が解決しようとする課題】
【０００４】
近年、複数の表示装置を垂直方向および水平方向に互いに隣接して配列して１つの大画面を構成するマルチモニタが実用化されている。このようなマルチモニタでは、該マルチモニタを構成する複数の表示装置のうちの２以上の表示装置の組み合わせによって１つの表示画面を構成し、その表示画面に映像を表示することが考えられる。しかし、前記表示画面を構成する表示装置の組み合わせである表示レイアウトを設定するときは、前記表示画面を構成する表示装置を個別に指定する必要があるため、作業が複雑であるという問題があった。
【０００５】
本開示は、このような従来技術の課題を鑑みて案出されたものであり、マルチモニタを構成する複数の表示装置のうちの２以上の表示装置の組み合わせである表示レイアウトを簡単かつ容易に指定することが可能なマルチモニタ制御システムを提供することを主目的とする。
【課題を解決するための手段】
【０００６】
本開示のマルチモニタ表示制御システムは、表示装置を複数配列して構成されるマルチモニタの表示を制御するマルチモニタ表示制御システムであって、少なくとも１つのプロセッサと、タッチパネル式の表示入力部と、前記マルチモニタに映像を提供する映像ソースとの間で通信を行う通信部とを備え、前記プロセッサは、前記表示入力部に、前記複数の表示装置にそれぞれ対応付けられ、ユーザのタッチ操作により選択可能であり、かつ前記複数の表示装置の配列と同じ配列で配置された複数のレイアウト指定キーを含む表示レイアウト指定画面を表示し、ユーザのタッチ操作により選択された前記レイアウト指定キーに対応する表示装置の組み合わせを表示レイアウトとして指定し、前記表示レイアウトを１つの画面として見なして、前記表示レイアウトに前記映像ソースから提供された映像を表示することを特徴とする。
【発明の効果】
【０００７】
本開示によれば、マルチモニタを構成する複数の表示装置のうちの２以上の表示装置の組み合わせである表示レイアウトを簡単かつ容易に指定することが可能となる。
【図面の簡単な説明】
【０００８】
【図１】本開示に係るマルチモニタ表示制御システムが適用されるマルチモニタシステムの概要を示す構成図である
【図２】表示制御装置の構成を示すブロック図
【図３】ユーザ端末装置の構成を示すブロック図
【図４】ユーザ端末装置に表示される各指定画面の一例を示す図
【図５】表示レイアウト指定画面の操作例を示す図
【図６】表示レイアウト指定画面の操作例を示す図
【図７】表示レイアウト指定画面の操作例を示す図
【図８】映像ソース指定画面の操作の一例を示す図
【図９】切出範囲指定画面およびその操作の一例を示す図
【図１０】切出範囲指定画面およびその操作の別の例を示す図
【図１１】ユーザ端末装置における一連の処理を示すフロー図
【図１２】表示枠指定画面の一例を示す図
【図１３】切出範囲指定画面に表示枠を表示した例を示す図
【図１４】マルチモニタ表示制御システムにおける一連の処理を示すフロー図
【発明を実施するための形態】
【０００９】
上記課題を解決するためになされた第１の発明は、表示装置を複数配列して構成されるマルチモニタの表示を制御するマルチモニタ表示制御システムであって、少なくとも１つのプロセッサと、タッチパネル式の表示入力部と、前記マルチモニタに映像を提供する映像ソースとの間で通信を行う通信部とを備え、前記プロセッサは、前記表示入力部に、前記複数の表示装置にそれぞれ対応付けられ、ユーザのタッチ操作により選択可能であり、かつ前記複数の表示装置の配列と同じ配列で配置された複数のレイアウト指定キーを含む表示レイアウト指定画面を表示し、ユーザのタッチ操作により選択された前記レイアウト指定キーに対応する表示装置の組み合わせを表示レイアウトとして指定し、前記表示レイアウトを１つの画面として見なして、前記表示レイアウトに前記映像ソースから提供された映像を表示することを特徴とする。
【００１０】
この第１の発明に係るマルチモニタ表示制御システムによれば、ユーザがタッチパネル式の表示入力部をタッチ操作することにより、マルチモニタを構成する複数の表示装置のうちの２以上の表示装置の組み合わせである表示レイアウトを簡単かつ容易に指定することができる。
【００１１】
また、第２の発明は、上記第１の発明において、少なくとも前記表示入力部が、タブレット型のユーザ端末装置として構成されていることを特徴とする。
【００１２】
この第２の発明に係るマルチモニタ表示制御システムによれば、ユーザは自由に移動することができるので便利である。
【００１３】
また、第３の発明は、上記第１の発明または第２の発明において、前記表示レイアウト指定画面は、ユーザが前記複数のレイアウト指定キーのうちの１つのレイアウト指定キーをタップし、そのまま他のレイアウト指定キーまでドラッグすると、そのドラッグ経路に含まれるレイアウト指定キーが全て選択されるように構成されていることを特徴とする。
【００１４】
この第３の発明に係るマルチモニタ表示制御システムによれば、直感的なタッチ操作により、ユーザが所望する表示レイアウトを簡単かつ容易に指定することができる。
【００１５】
また、第４の発明は、上記第１の発明ないし第３の発明のいずれかにおいて、前記映像ソースが複数存在し、前記プロセッサは、前記表示入力部に、前記複数の映像ソースにそれぞれ対応付けられ、ユーザのタッチ操作により選択可能な複数の映像ソース指定キーを含む映像ソース指定画面を表示し、ユーザのタッチ操作により選択された前記映像ソース指定キーに対応する前記映像ソースを前記マルチモニタに映像を提供する映像ソースとして指定することを特徴とする。
【００１６】
この第４の発明に係るマルチモニタ表示制御システムによれば、複数の映像ソースから、ユーザが所望する映像ソースを簡単かつ容易に指定することができる。
【００１７】
また、第５の発明は、上記第１の発明ないし第４の発明のいずれかにおいて、前記プロセッサは、前記表示入力部に、前記映像ソース指定画面で指定された映像ソースから提供される映像を前記表示レイアウト指定画面で指定された表示レイアウトで表示する切出範囲指定画面を表示し、前記切出範囲指定画面に表示された映像を、前記映像ソースから提供される映像から切り出して前記表示レイアウトに表示する範囲である切出範囲として指定することを特徴とする。
【００１８】
この第５の発明に係るマルチモニタ表示制御システムによれば、ユーザが切出範囲を容易に認識することができる。
【００１９】
また、第６の発明は、上記第５の発明において、前記切出範囲指定画面は、ユーザのタッチ操作によりサイズを変更可能に構成されており、前記プロセッサは、ユーザのタッチ操作により前記切出範囲指定画面のサイズが変更された場合は、その変更されたサイズの前記切出範囲指定画面に表示された映像を前記切出範囲として指定することを特徴とする。
【００２０】
この第６発明に係るマルチモニタ表示制御システムによれば、切出範囲のサイズを簡単かつ容易に変更することができ、特に切出範囲のサイズを拡大または縮小する場合に便利である。
【００２１】
また、第７の発明は、上記第５の発明または第６の発明において、前記切出範囲指定画面は、ユーザのタッチ操作によりサイズを変更可能な切出範囲指定キーを複数配列して構成されており、前記プロセッサは、ユーザのタッチ操作により前記切出範囲指定キーのサイズが変更された場合は、その変更されたサイズの前記切出範囲指定キーに表示された映像を前記切出範囲として指定することを特徴とする。
【００２２】
この第７の発明に係るマルチモニタ表示制御システムによれば、切出範囲のサイズを簡単かつ容易に変更することができ、特に切出範囲のサイズを拡大する場合に便利である。
【００２３】
また、第８の発明は、前記切出範囲指定キーは、ユーザのタッチ操作により移動可能に構成されており、前記プロセッサは、ユーザのタッチ操作により前記切出範囲指定キーが移動させられた場合は、その移動後の前記切出範囲指定画面に表示された映像を前記切出範囲として指定することを特徴とする。
【００２４】
この第８の発明に係るマルチモニタ表示制御システムによれば、切出範囲の位置を簡単かつ容易に変更することができる。
【００２５】
また、第９の発明は、上記第５の発明ないし第８の発明のいずれかにおいて、前記プロセッサは、前記表示入力部に、予め定められた特殊な形状の表示枠に対応付けられ、ユーザのタッチ操作により選択可能な表示枠指定キーを含む表示枠指定画面を表示し、ユーザのタッチ操作により選択された前記表示枠指定キーに対応する前記表示枠を、前記切出範囲指定画面に表示することを特徴とする。
【００２６】
この第９の発明に係るマルチモニタ表示制御システムによれば、予め定められた特殊な形状の表示枠を用いることにより、マルチモニタに映像を表示する際の視覚効果を高めることができる。
【００２７】
また、第１０の発明は、上記第１の発明ないし第９の発明のいずれかにおいて、前記映像ソースが前記通信部を介して遠隔操作可能なカメラであり、前記プロセッサは、前記表示入力部に、ユーザのタッチ操作により前記カメラのパン、チルト、またはズームの各動作の少なくとも１つを遠隔操作可能なカメラ操作キーを表示することを特徴とする。
【００２８】
この第１０の発明に係るマルチモニタ表示制御システムによれば、必要に応じて、カメラの撮像角度または撮像倍率を調節することができる。
【００２９】
また、第１１の発明は、上記の請求項１ないし１０のいずれかに記載のマルチモニタ表示制御システムと、表示装置を複数配列して構成されるマルチモニタと、前記マルチモニタに映像を提供する映像ソースとを備えたマルチモニタシステムである。
【００３０】
また、第１２の発明は、表示装置を複数配列して構成されるマルチモニタの表示を制御するマルチモニタ表示制御方法であって、タッチパネル式の表示入力部に、前記複数の表示装置にそれぞれ対応付けられ、ユーザのタッチ操作により選択可能であり、かつ前記複数の表示装置の配列と同じ配列で配置された複数のレイアウト指定キーを含む表示レイアウト指定画面を表示するステップと、ユーザのタッチ操作により選択された前記レイアウト指定キーに対応する表示装置の組み合わせを表示レイアウトとして指定するステップと、前記表示レイアウトを１つの画面として見なして、前記表示レイアウトに映像ソースから提供された映像を表示するステップとを有することを特徴とする。
【００３１】
以下、本開示の実施形態について、図面を参照しながら説明する。本実施形態では、本開示に係るマルチモニタ表示制御システムをプール施設に適用し、マルチモニタに競泳の試合や練習等の映像を表示する場合について説明する。
【００３２】
図１は、本開示に係るマルチモニタ表示制御システムが適用されるマルチモニタシステム１の概要を示す構成図である。図１に示すように、マルチモニタシステム１は、複数の表示装置（モニタ）Ｍ１、Ｍ２、Ｍ３、...、Ｍ１２（以降、総称するときは、単に「表示装置Ｍ」と称する）から構成されるマルチモニタ２と、マルチモニタ２に映像を提供する映像ソース３と、マルチモニタ２の表示を制御する表示制御装置４と、ユーザが操作するユーザ端末装置５とを備えて構成されている。映像ソース３、表示制御装置４、およびユーザ端末装置５は、ネットワーク６を介して互いに接続されている。また、マルチモニタ２と表示制御装置４とは、専用ケーブル等の通信経路７を介して互いに接続されている。
【００３３】
本開示に係るマルチモニタ表示制御システムは、表示制御装置４とユーザ端末装置５とから構成される。ユーザ端末装置５は、本開示に係るマルチモニタ表示制御システムの表示入力部に相当する。
【００３４】
マルチモニタ２は、例えばＬＥＤ液晶ディスプレイ等の表示装置Ｍを垂直方向および水平方向に複数配列することにより、１つの大画面を形成する。本実施形態では、マルチモニタ２は、垂直方向に３行、水平方向に４列で配列された計１２個の表示装置Ｍから構成されている。マルチモニタは、例えばプール施設の所定位置の壁面等に設置され、映像ソース３から提供された映像を表示する。なお、マルチモニタ２を構成する表示装置Ｍは、ＬＥＤ液晶ディスプレイに限定されるものではなく、例えば有機エレクトロルミネッセンス（ＥＬ）ディスプレイやプラズマディスプレイ等の他の種類の表示装置であってもよい。また、マルチモニタ２を構成する表示装置Ｍの数や配列も特に限定されるものではない。
【００３５】
映像ソース３は、例えばＣＣＤカメラ等のカメラ３Ａ、カメラ３Ａで撮像した映像を収録（録画）する収録装置３Ｂ、または他の映像提供装置３Ｃであり、マルチモニタ２にライブ映像または録画映像を提供する。映像提供装置３Ｃとして、例えば、インターネット等のネットワークを介して映像コンテンツをストリーム配信またはダウンロード配信する映像配信サーバ等が挙げられる。
【００３６】
カメラ３Ａは、例えばプール施設の所定位置の壁面や天井、および、プール（貯水槽）の所定位置の壁面や床面に配置される。なお、プールに配置されるカメラ３Ａとしては、防水構造を有する水中カメラを用いるものとする。また、プール施設の壁面や天井に配置されるカメラ３Ａも防水構造を有していることが好ましい。カメラ３Ａは、プールで行われる競泳の試合や練習の様子を撮像する。なお、カメラ３Ａは、ＣＣＤカメラに限定されるものではなく、例えばＣＭＯＳカメラやＭＯＳカメラ等の他の種類のカメラであってもよい。また、カメラ３Ａの数や配置位置も特に限定されるものではない。
【００３７】
表示制御装置４は、マルチモニタ２の表示を制御する機能を有する装置であり、一般的なコンピュータ装置から構成される。表示制御装置４は、マルチモニタ２の全体領域に映像を表示する場合は、マルチモニタ２を１つの大画面と見なし、その大画面に映像を表示するように、マルチモニタ２を構成する各表示装置Ｍの表示を制御する。また、マルチモニタ２の一部の領域に映像を表示する場合は、その領域に対応する表示装置Ｍまたは複数の表示装置Ｍの組み合わせを１つの表示画面と見なし、その表示画面に映像を表示するように、その表示画面を構成する各表示装置Ｍの表示を制御する。
【００３８】
ユーザ端末装置５は、後述する表示レイアウト指定画面３１、映像ソース指定画面３２、および切出範囲指定画面３３の各指定画面を表示する機能を有する装置であり、タッチパネル式のディスプレイ（表示入力部）および無線通信機能等を備えたタブレット型パーソナルコンピュータ（ＰＣ）から構成される。なお、ユーザ端末装置５は、タブレット型ＰＣ以外の一般的なコンピュータ装置、タッチパネル式のディスプレイ、および通信装置等の周辺機器から構成してもよい。
【００３９】
図２は、表示制御装置４の構成を示すブロック図である。図２に示すように、表示制御装置４は、プロセッサ１１、メモリ１２、ストレージ１３、ネットワークインタフェース１４、およびそれらを接続するバス１５を備えている。プロセッサ１１は、例えばＣＰＵ（Central Processing Unit）であり、所定の制御プログラム（例えばマルチモニタ表示制御プログラム）に基づきマルチモニタ表示制御の各処理を統括的に実行する。メモリ１２は、例えばＲＡＭ（Random Access Memory）であり、プロセッサ１１のワークエリア等として機能する。ストレージ１３は、例えばＲＯＭ（Read Only Memory）やハードディスク等であり、プロセッサ１１が実行するプログラムやデータ等を格納している。ネットワークインタフェース１４は、ネットワーク６に接続するためのネットワークアダプタからなり、ネットワーク６を介した無線通信を実行する。表示制御装置４の各機能は、図２に示したハードウェア構成において、プロセッサ１１が所定の制御プログラムを実行することによって実現される。
【００４０】
図３は、ユーザ端末装置５の構成を示すブロック図である。図３に示すように、ユーザ端末装置５は、プロセッサ２１、メモリ２２、ストレージ２３、タッチパネルディスプレイ２４、無線通信モジュール２５、およびそれらを接続するバス２６を備えている。プロセッサ２１は、例えばＣＰＵであり、所定の制御プログラム（例えばマルチモニタ表示制御プログラム）に基づきマルチモニタ表示制御の各処理を統括的に実行する。メモリ２２は、例えばＲＡＭであり、プロセッサ２１のワークエリア等として機能する。ストレージ２３は、例えばＲＯＭ、ＳＳＤ（Solid State Drive）、ｅＭＭＣ（Embedded Multi Media Card）等であり、プロセッサ２１が実行するプログラムやデータ等を格納している。タッチパネルディスプレイ２４は、ユーザへの各種情報の表示およびユーザからの操作入力に用いられる。無線通信モジュール２５は、例えばＷｉ−ＦｉやＢｌｕｅｔｏｏｔｈ（登録商標）等の近距離無線通信規格に対応したものであり、ネットワーク６を介した無線通信を実行する。ユーザ端末装置５の各機能は、図３に示したハードウェア構成において、プロセッサ２１が所定の制御プログラムを実行することによって実現される。
【００４１】
なお、本開示に係るマルチモニタ表示制御システムを構成する表示制御装置４およびユーザ端末装置５は、コンピュータ装置に限らず、同様の機能を果たすことが可能な他の情報処理装置（例えばサーバ等）を用いることもできる。また、表示制御装置４およびユーザ端末装置５の機能の少なくとも一部を他の公知のハードウェアによる処理によって代替してもよい。
【００４２】
本開示に係るマルチモニタシステム１では、ユーザがユーザ端末装置５を操作することにより、マルチモニタ２を構成する複数の表示装置Ｍのうちの２以上の表示装置Ｍの組み合わせである表示レイアウト、マルチモニタ２に映像を供給する映像ソース３、および映像ソース３から提供される映像から切り出して表示レイアウトに表示する範囲である切出範囲をそれぞれ指定することができる。表示レイアウト、映像ソース３、および切出範囲の各指定は、ユーザが、ユーザ端末装置５のタッチパネルディスプレイ２４に表示される表示レイアウト指定画面３１、映像ソース指定画面３２、および切出範囲指定画面３３をそれぞれタッチ操作することにより行われる。
【００４３】
図４は、ユーザ端末装置５のタッチパネルディスプレイ２４に表示される各指定画面３１−３３の一例を示す図である。図４に示すように、タッチパネルディスプレイ２４には、表示レイアウトを指定するための表示レイアウト指定画面３１と、映像ソース３を指定するための映像ソース指定画面３２と、切出範囲を指定するための切出範囲指定画面３３とが表示される。なお、図４では、各指定画面３１−３３を同時に表示しているが、図示しない画面切替ボタンを操作して、各指定画面３１−３３を個別に表示するようにしてもよい。
【００４４】
表示レイアウト指定画面３１は、ユーザのタッチ操作により選択可能なレイアウト指定キーであるセグメントＳＧ１−ＳＧ１２（以降、総称するときは、単に「セグメントＳＧ」と称する）を含む。セグメントＳＧ１−ＳＧ１２は、マルチモニタ２を構成する複数の表示装置Ｍ１−Ｍ１２にそれぞれ対応付けられており、表示装置Ｍ１−Ｍ１２の配列と同じ配列で配置されている。本実施形態では、表示装置Ｍ１−Ｍ１２は垂直方向に３行、水平方向に４列で配列されているので、セグメントＳＧ１−ＳＧ１２も垂直方向に３行、水平方向に４列で配列されている。ユーザは、タップ操作またはドラッグ操作によりセグメントＳＧを選択することによって表示レイアウトを指定することができる。なお、本例では、セグメントＳＧ１−ＳＧ１２と表示装置Ｍ１−Ｍ１２とはそれぞれ対応付けられている構成としたが、セグメントＳＧと表示装置Ｍの個数や配置が異なっても、双方の対応関係を適宜設定できる構成でもよい。
【００４５】
図５−図７は、表示レイアウト指定画面３１の操作例を示す図である。図５（ａ）に示すように、ユーザがセグメントＳＧ１をタップすると、セグメントＳＧ１から構成される領域Ｒ１が表示レイアウトとして指定される。また、図５（ｂ）に示すように、セグメントＳＧ１をタップし、そのまま右側のセグメントＳＧ２までドラッグすると、セグメントＳＧ１およびＳＧ２の２個のセグメントＳＧから構成される横長の領域Ｒ２が表示レイアウトとして指定される。また、図５（ｃ）に示すように、セグメントＳＧ１をタップし、そのまま下側のセグメントＳＧ５までドラッグすると、セグメントＳＧ１およびＳＧ５の２個のセグメントＳＧから構成される縦長の領域Ｒ３が表示レイアウトとして指定される。
【００４６】
また、図６（ａ）に示すように、セグメントＳＧ１をタップし、そのまま、その右側のセグメントＳＧ２、その下側のセグメントＳＧ６へ、その順にドラッグすると、セグメントＳＧ１、ＳＧ２、およびＳＧ６の３個のセグメントＳＧから構成される領域Ｒ４が表示レイアウトとして指定される。また、図６（ｂ）に示すように、セグメントＳＧ１にタップし、そのまま、その右側のセグメントＳＧ２、その下側のセグメントＳＧ６、その左側のセグメントＳＧ５へ、その順にドラッグすると、セグメントＳＧ１、ＳＧ２、ＳＧ５、およびＳＧ６の４個のセグメントＳＧから構成される領域Ｒ５が表示レイアウトとして指定される。なお、図６（ｃ）に示すように、セグメントＳＧ１をタップし、そのまま、その右下側のセグメントＳＧ６までドラッグすることによっても、図６（ｂ）の場合と同じ領域Ｒ５を指定することができる。
【００４７】
また、図７（ａ）に示すように、セグメントＳＧ１をタップし、そのまま、その下側のセグメントＳＧ５、その右側のセグメントＳＧ６、その下側のセグメントＳＧ１０、その右側のセグメントＳＧ１１へ、その順にドラッグすることにより、セグメントＳＧ１、ＳＧ５、ＳＧ６、ＳＧ１０、およびＳＧ１１の５個のセグメントＳＧから構成される領域Ｒ６を表示レイアウトとして指定することができる。また、図７（ｂ）に示すように、セグメントＳＧ５をタップし、そのまま、その上側のセグメントＳＧ１、その右側のセグメントＳＧ２、その下側のセグメントＳＧ６、その下側のセグメントＳＧ１０、その右側のセグメントＳＧ１１へ、その順にドラッグすることにより、セグメントＳＧ１、ＳＧ２、ＳＧ５、ＳＧ６、ＳＧ１０、およびＳＧ１１の６個のセグメントＳＧから構成される領域Ｒ７を表示レイアウトとして指定することができる。なお、図５（ａ）〜（ｃ）、図６（ａ）〜（ｃ）、図７（ａ）〜（ｃ）の例では、１つのセグメントＳＧをタップした後に、そのセグメントＳＧに隣接するセグメントＳＧへドラッグして選択するようにしたが、１つのセグメントＳＧをタップした後に、そのセグメントＳＧに隣接するセグメントＳＧを連続してタップすることによって選択するようにしてもよい。
【００４８】
再び図４を参照して、映像ソース指定画面３２は、ユーザのタッチ操作により選択することができる映像ソース指定キーであるカメラアイコンＣＡ１−ＣＡ８（以降、総称するときは、単に「カメラアイコンＣＡ」と称する）を含む。カメラアイコンＣＡ１−ＣＡ８は、プール施設の所定位置に配置された複数のカメラ３Ａにそれぞれ対応付けられている。具体的には、カメラアイコンＣＡ１、ＣＡ８は、プール施設の天井におけるプールの長手方向両端に対応する位置に配置された各カメラ３Ａにそれぞれ対応付けられており、カメラアイコンＣＡ２−ＣＡ７は、プールの長手方向に沿って配置された複数のカメラ３Ａにそれぞれ対応付けられている。ユーザは、カメラアイコンＣＡ１−ＣＡ８のいずれかをタッチ操作することにより、そのカメラアイコンＣＡに対応するカメラ３Ａをマルチモニタ２に映像を提供する映像ソース３として指定することができる。
【００４９】
なお、図４では、説明の便宜上、カメラアイコンＣＡは８個しか示していないが、実際には、プール施設の天井、プール施設の壁面、プールの壁面、プールの床面等に多数のカメラ３Ａが配置されており、映像ソース指定画面３２には、それらの各カメラ３Ａにそれぞれ対応するカメラアイコンＣＡが表示されるものとする。
【００５０】
また、映像ソース指定画面３２の上側部分には、他の映像ソース３に対応付けられており、ユーザのタッチ操作により選択可能な映像ソース指定キー３４、３５が設けられている。映像ソース指定キー３４は収録装置３Ｂに対応付けられており、映像ソース指定キー３５は映像提供装置３Ｃに対応付けられている。ユーザは、映像ソース指定キー３４または映像ソース指定キー３５をタッチ操作することにより、収録装置３Ｂまたは映像提供装置３Ｃをマルチモニタ２に映像を提供する映像ソース３として指定することができる。
【００５１】
図８は、映像ソース指定画面３２の操作例を示す図である。図８（ａ）に示すように、ユーザは、カメラアイコンＣＡ５をタップすることにより、そのカメラアイコンＣＡ５を指定することができる。これにより、そのカメラアイコンＣＡ５に対応するカメラ３Ａがマルチモニタ２に映像を提供する映像ソース３として指定される。また、図８（ｂ）に示すように、ユーザは、カメラアイコンＣＡ１をタップすることにより、そのカメラアイコンＣＡ１を指定することができる。これにより、そのカメラアイコンＣＡ１に対応するカメラ３Ａがマルチモニタ２に映像を提供する映像ソース３として指定される。
【００５２】
再び図４を参照して、切出範囲指定画面３３は、ユーザがタッチ操作可能な枠部３６を有しており、ユーザの枠部３６のタッチ操作によりサイズを拡大または縮小可能に構成されている。具体的には、ユーザは、枠部３６をタップし、そのまま切出範囲指定画面３３の外側または内側に向けてドラッグすることにより、切出範囲指定画面３３のサイズを拡大または縮小させることができる。
【００５３】
また、切出範囲指定画面３３は、ユーザのタッチ操作によりサイズを拡大可能な切出範囲指定キーを複数配列して構成されている。本実施形態では、切出範囲指定キーは、垂直方向および水平方向に配列されたセグメントＳＧ１−ＳＧ１２により構成されている。セグメントＳＧ１−ＳＧ１２は、表示レイアウト指定画面３１のセグメントＳＧと同様に、表示装置Ｍ１−Ｍ１２の配列と同じ配列、すなわち、垂直方向に３行、水平方向に４列で配列されている。ユーザは、任意のセグメントＳＧをタッチ操作して他のセグメントＳＧの方向に引っ張ることにより、タッチ操作したセグメントＳＧのサイズを拡大させることができる。また、ユーザは、任意のセグメントＳＧをタッチ操作して、そのまま他のセグメントＳＧ上にドラッグアンドドロップすることにより、タッチ操作したセグメントＳＧを移動させることができる。
【００５４】
切出範囲指定画面３３には、映像ソース指定画面３２で選択された映像ソース３から提供される映像が、表示レイアウト指定画面３１で指定された表示レイアウトで表示される。そして、切出範囲指定画面３３に表示された映像は、映像ソース３から提供される映像から切り出して表示レイアウト（マルチモニタ２を構成する複数の表示装置Ｍのうちの２以上の表示装置Ｍの組み合わせ）に表示する範囲である切出範囲として指定される。すなわち、切出範囲指定画面３３に表示された映像が、マルチモニタ２に設定された表示レイアウトに表示される。
【００５５】
図９は、切出範囲指定画面３３およびその操作の一例を示す図である。この例では、図９（ａ）に示すように、映像ソース指定画面３２で指定されたカメラアイコンＣＡ５（図８（ａ）参照）に対応するカメラ３Ａから提供された映像が、表示レイアウト指定画面３１で指定された表示レイアウトである領域Ｒ７（図７（ｂ）参照）に表示されている。領域Ｒ７に含まれないセグメントＳＧ３、ＳＧ４、ＳＧ７、ＳＧ８、ＳＧ９、ＳＧ１２の各セグメントＳＧは、マスクされ表示されない。そして、図９（ｂ）に示すように、ユーザは、切出範囲指定画面３３の枠部３６にタップし、そのまま切出範囲指定画面３３の外側または内側に向けてドラッグすることにより、切出範囲指定画面３３、すなわち切出範囲のサイズを拡大または縮小させることができる。図９（ｂ）の例では、枠部３６を切出範囲指定画面３３の内側に向けてドラッグしているので、切出範囲のサイズは縮小される。なお、マスク部分を透視可能にし、ユーザが元の映像を視認できるようにしてもよい。このようにすると、ユーザによる切出範囲のサイズの拡大・縮小操作が容易になる。後述する図１０および図１３の例でも同様である。
【００５６】
図１０は、切出範囲指定画面３３およびその操作の別の例を示す図である。この例では、図１０（ａ）に示すように、表示レイアウト指定画面３１で指定されたセグメントＳＧ１からなる領域Ｒ１（図５（ａ）参照）に、映像ソース指定画面３２で指定されたカメラアイコンＣＡ１に対応するカメラ３Ａの映像が表示されている。このとき、表示レイアウトである領域Ｒ１に含まれないセグメントＳＧ２−ＳＧ１２の各セグメントＳＧはマスクされ表示されない。そして、図１０（ｂ）に示すように、ユーザは、セグメントＳＧ１をタップし、そのまま切出範囲指定画面３３の内側に向けてドラッグすることにより、セグメントＳＧ１、すなわち切出範囲のサイズを拡大させることができる。また、図１０（ｃ）に示すように、ユーザは、セグメントＳＧ１をロングタップし、そのまま右下側のセグメントＳＧ７上にドラッグアンドドロップすることにより、セグメントＳＧ１をセグメントＳＧ７に移動させることができる。
【００５７】
再度図４を参照して、ユーザ端末装置５のタッチパネルディスプレイ２４における切出範囲指定画面３３の下側には、ユーザのタッチ操作により、カメラ３Ａのパン、チルト、ズームの各動作を遠隔操作可能なカメラ操作キー３７が設けられている。ユーザは、このカメラ操作キー３７をタッチ操作することにより、ネットワーク６を介して、カメラ３Ａのパン、チルト、ズームの各動作を遠隔操作し、カメラ３Ａの向き（すなわち撮像角度）を変更したり、撮像倍率を変更（拡大または縮小）したりすることができる。
【００５８】
次に、図１１のフロー図を参照して、ユーザ端末装置５における一連の処理について説明する。以下の処理は、ユーザが、ユーザ端末装置５のタッチパネルディスプレイ２４に表示された各指定画面３１−３３およびカメラ操作キー３７を操作することにより行われる。
【００５９】
まず、ユーザが表示レイアウト指定画面３１をタッチ操作して、マルチモニタ２を構成する複数の表示装置Ｍのうちの２以上の表示装置Ｍの組み合わせである表示レイアウトを指定する（ステップＳＴ１０１）。表示レイアウトの指定は、図５−図７を参照して説明したように、ユーザが、表示レイアウト指定画面３１のセグメントＳＧをタップ操作、ドラッグ操作することにより行われる。
【００６０】
次に、ユーザが映像ソース指定画面３２をタッチ操作して、マルチモニタ２に映像を提供する映像ソース３を指定する（ステップＳＴ１０２）。映像ソース３の指定は、図８を参照して説明したように、ユーザが、映像ソース指定画面３２に表示されたカメラアイコンＣＡまたは映像ソース指定キー３４、３５にタッチ操作することにより行われる。
【００６１】
続くステップＳＴ１０３では、ステップＳＴ１０２で選択された映像ソース３がカメラ３Ａであるか否かを判断する。映像ソース３がカメラ３Ａであると判断された場合（ステップＳＴ１０３：Ｙｅｓ）は、ステップＳＴ１０４に進み、カメラ３Ａではないとされた場合（ステップＳＴ１０３：Ｎｏ）はステップＳＴ１０５に進む。
【００６２】
次のステップＳＴ１０４では、ユーザがカメラ操作キー３７を操作して、カメラ３Ａのパン、チルト、ズーム（ＰＴＺ）の各動作を遠隔制御し、カメラ３Ａの撮像角度および撮像倍率を調節する。なお、カメラ３Ａの撮像角度および撮像倍率を調節する必要がなければ、このステップは省略してもよい。
【００６３】
そしてステップＳＴ１０５では、ユーザが切出範囲指定画面３３をタッチ操作して、映像ソース３から提供される映像から切り出して表示レイアウトに表示する範囲である切出範囲を指定する。切出範囲の指定は、図９および図１０を参照して説明したように、ユーザが、切出範囲指定画面３３の枠部３６またはセグメントＳＧをタップ操作、ドラッグ操作することにより行う。
【００６４】
このようにして、本開示に係るユーザ端末装置５によれば、ユーザが、タッチパネルディスプレイ２４に表示された表示レイアウト指定画面３１、映像ソース指定画面３２、および切出範囲指定画面３３の各指定画面をタッチ操作することにより、表示レイアウト、映像ソース３、および切出範囲を簡単かつ容易かつ指定することできる。また、必要に応じて、ユーザが、タッチパネルディスプレイ２４に表示されたカメラ操作キー３７を操作することにより、カメラ３Ａの撮像角度および撮像倍率を調節することができる。
【００６５】
また、本開示に係るユーザ端末装置５では、切出範囲指定画面３３（すなわち表示レイアウト）に、三角形や四角形等の特殊な形状の表示枠を表示することができる。具体的には、特殊な形状の表示枠に対応付けられ、ユーザのタッチ操作により選択可能な表示枠指定キーを含む表示枠指定画面３８をタッチパネルディスプレイ２４に表示し、ユーザのタッチ操作により、特殊な形状の表示枠を選択する。
【００６６】
図１２は、表示枠指定画面３８の一例を示す図である。図１２の例では、三角形の表示枠指定キー４１、四角形の表示枠指定キー４２、正方形の表示枠指定キー４３、および星型多角形の表示枠指定キー４４の４つの表示枠指定キーが表示枠指定画面３８に表示されている。各表示枠指定キー４１−４４は、その形状の表示枠に対応付けられている。ユーザがタッチ操作により表示枠指定キー４１−４４のいずれかを選択することにより、切出範囲指定画面３３に、その表示枠指定キーに対応付けられた表示枠を表示することができる。
【００６７】
図１３は、ユーザのタッチ操作により三角形の表示枠指定キー４１が選択された場合の、切出範囲指定画面３３の表示例である。図１３に示すように、三角形の表示枠指定キー４１が選択された場合は、切出範囲指定画面３３に、三角形の表示枠Ｒ８が表示され、三角形の表示枠Ｒ８以外の部分はマスクされる。このように、特殊な形状の表示枠を表示することにより、マルチモニタ２に映像を表示する際の視覚効果を高めることができる。
【００６８】
次に、図１４のフロー図を参照して、マルチモニタシステム１における一連の処理について説明する。なお、以下の説明では、映像ソース３として、カメラ３Ａまたは収録装置３Ｂのいずれかを用いるものとする。なお、収録装置３Ｂの代わりに映像提供装置３Ｃを用いる場合も同様である。
【００６９】
まず、ユーザがユーザ端末装置５を操作して指定した映像ソースがカメラ３Ａであるか否かを判断する（ステップＳＴ２０１）。カメラ３Ａであると判断された場合（ステップＳＴ２０１：Ｙｅｓ）は、ステップＳＴ２０２に進み、カメラ３Ａではないとされた場合（ステップＳＴ２０１：Ｎｏ）はステップＳＴ２０３に進む。
【００７０】
ステップＳＴ２０２では、カメラ３Ａで撮像対象の撮像を開始する。本実施形態では、競泳の試合の模様を撮像する。カメラ３Ａで撮像された映像は、ネットワーク６を介してユーザ端末装置５に送信される。その後は、ステップＳＴ２０４に進む。
【００７１】
ステップＳＴ２０３では、収録装置３Ｂから録画映像の出力を開始する。収録装置３Ｂから出力された録画映像は、ネットワーク６を介してユーザ端末装置５に送信される。その後は、ステップＳＴ２０４に進む。
【００７２】
ステップＳＴ２０４では、ユーザがユーザ端末装置５をタッチ操作して、表示レイアウトおよび切出範囲の指定を行うことにより、マルチモニタ２の表示を設定する。また、映像ソースがカメラ３Ａである場合は、必要に応じて、カメラ３Ａのパン、チルト、ズームの各動作の遠隔制御を行い、撮像角度および撮像倍率を調節する。ユーザ端末装置５で指定されたマルチモニタ２の表示設定の情報は、ネットワーク６を介して表示制御装置４に送信される。
【００７３】
続いてステップＳＴ２０５では、表示制御装置４は、マルチモニタ２の表示設定が完了したか否かを判断する。例えば、表示レイアウトを複数設定する場合には、ステップＳＴ２０４を表示レイアウトの設定数だけ繰り返すことができる。表示設定が完了したと判断された場合（ステップＳＴ２０５：Ｙｅｓ）はステップＳＴ２０６に進み、表示設定が完了していないと判断された場合（ステップＳＴ２０５：Ｎｏ）はステップＳＴ２０４に戻る。
【００７４】
ステップＳＴ２０５では、表示制御装置４は、映像ソース３（カメラ３Ａまたは収録装置３Ｂ）から映像を取得し、その映像がステップＳＴ２０４で設定された表示設定で表示されるようにマルチモニタ２を制御する。
【００７５】
このようにして、本開示に係るマルチモニタシステム１によれば、映像ソースから提供される映像を、ユーザがユーザ端末装置５を操作して指定した表示設定でマルチモニタ２に表示することができる。
【００７６】
以上、本開示を特定の実施形態に基づいて説明したが、これらの実施形態はあくまでも例示であって、本開示はこれらの実施形態によって限定されるものではない。また、上記実施形態に示した本開示に係るマルチモニタ表示制御システムおよびマルチモニタ表示制御方法の各構成要素は、必ずしも全てが必須ではなく、少なくとも本開示の範囲を逸脱しない限りにおいて適宜取捨選択することが可能である。
【００７７】
例えば、本実施形態では、本開示に係るマルチモニタ表示制御システムをプール施設に適用する場合について説明したが、本開示に係るマルチモニタ表示制御システムは、プール施設に限らず、他の様々なスポーツ施設、商業施設、公共施設、民間施設等に適用可能である。
【産業上の利用可能性】
【００７８】
本開示に係るマルチモニタ表示制御システムおよびマルチモニタ表示制御方法は、マルチモニタを構成する複数の表示装置のうちの２以上の表示装置の組み合わせである表示レイアウトを簡単かつ容易に指定することができるマルチモニタ表示制御システムおよびマルチモニタ表示制御方法として有用である。
【符号の説明】
【００７９】
１    マルチモニタシステム
２    マルチモニタ
３    映像ソース
４    表示制御装置（マルチモニタ表示制御システム）
５    ユーザ端末装置（マルチモニタ表示制御システムの表示入力部）
６    ネットワーク
７    映像伝送経路
３Ａ  カメラ
３Ｂ  収録装置
３Ｃ  映像提供装置
３１  表示レイアウト指定画面
３２  映像ソース指定画面
３３  切出範囲指定画面
３４  映像ソース指定キー
３５  映像ソース指定キー
３６  枠部
３７  カメラ操作キー
３８  表示枠指定画面
４１−４４  表示枠指定キー
Ｍ    表示装置（モニタ）
ＳＧ  セグメント（レイアウト指定キー、切出範囲指定キー）
ＣＡ  カメラアイコン（映像ソース指定キー）
【図１】
2018133641.tif 000003
【図２】
2018133641.tif 000004
【図３】
2018133641.tif 000005
【図４】
2018133641.tif 000006
【図５】
2018133641.tif 000007
【図６】
2018133641.tif 000008
【図７】
2018133641.tif 000009
【図８】
2018133641.tif 000010
【図９】
2018133641.tif 000011
【図１０】
2018133641.tif 000012
【図１１】
2018133641.tif 000013
【図１２】
2018133641.tif 000014
【図１３】
2018133641.tif 000015
【図１４】
2018133641.tif 000016